(57)【特許請求の範囲】
【請求項１】
各基端に第１キャスタ（１３，１３）が設けられた一対の第１持上げアーム（１２，１２）と、
各基端に第２キャスタ（１６，１６）が設けられた一対の第２持上げアーム（１４，１４）と、
前記一対の第１持上げアーム（１２，１２）の先端と前記一対の第２持上げアーム（１４，１４）の先端とをそれぞれ重ねることにより形成された一対のアーム枢着部（１９，１９）と、
ケーブルドラム（１７）の幅より広い長さを有し前記一対の第１持上げアーム（１２，１２）同士又は前記一対の第２持上げアーム（１４，１４）同士のいずれか一方又は双方を連結する連結軸（２１，２２）と、
前記第１持上げアーム（１２，１２）及び前記第２持上げアーム（１４，１４）を互いに引寄せ又は遠ざけて前記一対のアーム枢着部（１９，１９）を低位置から高位置まで又は高位置から低位置まで調整する調整手段と、
前記一対のアーム枢着部（１９，１９）又は前記枢着部（１９，１９）の近傍の前記一対の第１持上げアーム（１２，１２）又は一対の第２持上げアーム（１４，１４）に設けられ前記ケーブルドラム（１７）の中心孔（１７ａ）に挿入可能なドラム支持軸（１８）を支承する一対の軸受部（１９，１９）とを備え、
かつ、前記連結軸（２１，２２）は一対の第１持上げアーム（１２，１２）のそれぞれの基端又は基端近傍を連結する第１連結軸（２１）と、前記第１連結軸（２１）と同等の長さを有し中間部に雌ねじ部（２２ａ）が設けられ一対の第２持上げアーム（１４，１４）のそれぞれの基端又は基端近傍を連結する第２連結軸（２２）とを備え、
かつ、前記調整手段は前記雌ねじ部（２２ａ）に螺合するねじ部（２３ａ）が形成され前記ねじ部（２３ａ）が前記雌ねじ部（２２ａ）に螺合した状態で一端が前記第１連結軸（２１）に枢着された駆動軸（２３）と、前記駆動軸（２３）の他端に取付けられ回動することにより前記第１連結軸（２１）と前記第２連結軸（２２）の間隔を広く又は狭くする回転用ハンドル（２４）とを有するものであることを特徴とするケーブル繰出し用ドラム支持装置。
【請求項２】
ケーブルドラム（１７）の幅より広い長さを有し両端にそれぞれ第１キャスタ（１３，１３）が設けられた第１連結軸（２１）と、
前記第１連結軸（２１）と同等の長さを有し両端にそれぞれ第２キャスタ（１６，１６）が設けられかつ中間部に雌ねじ部（２２ａ）が設けられた第２連結軸（２２）と、
各基端が前記第１連結軸（２１）両端の第１キャスタ（１３，１３）近傍に枢支された一対の第１持上げアーム（１２，１２）と、
各基端が前記第２連結軸（２２）両端の第２キャスタ（１６，１６）近傍に枢支された一対の第２持上げアーム（１４，１４）と、
前記一対の第１持上げアーム（１２，１２）の先端と前記一対の第２持上げアーム（１４，１４）の先端とをそれぞれ重ねることにより形成された一対のアーム枢着部（１９，１９）と、
前記第１持上げアーム（１２，１２）及び前記第２持上げアーム（１４，１４）を互いに引寄せ又は遠ざけて前記一対のアーム枢着部（１９，１９）を低位置から高位置まで又は高位置から低位置まで調整する調整手段と、
前記一対のアーム枢着部（１９，１９）又は前記枢着部（１９，１９）の近傍の前記一対の第１持上げアーム（１２，１２）又は一対の第２持上げアーム（１４，１４）に設けられ前記ケーブルドラム（１７）の中心孔（１７ａ）に挿入可能なドラム支持軸（１８）を支承する一対の軸受部（１９，１９）とを備え、かつ、前記調整手段は前記雌ねじ部（２２ａ）に螺合するねじ部（２３ａ）が形成され前記ねじ部（２３ａ）が前記雌ねじ部（２２ａ）に螺合した状態で一端が前記第１連結軸（２１）に枢着された駆動軸（２３）と、前記駆動軸（２３）の他端に取付けられ回動することにより前記第１連結軸（２１）と前記第２連結軸（２２）の間隔を広く又は狭くする回転用ハンドル（２４）とを有するものであることを特徴とするケーブル繰出し用ドラム支持装置。
【請求項３】
各基端に第１キャスタ（６３，６３）が設けられた一対又は複数対の第１持上げアーム（６２，６２）と、
各基端に第２キャスタ（６６，６６）が設けられた一対又は複数対の第２持上げアーム（６４，６４）と、
前記第１及び第２持上げアーム（６２，６２，６４，６４）のそれぞれの中間部で両アームを互いに枢着する一対又は複数対の第１枢着部（６７ａ）と、
前記一対又は複数対の第１持上げアーム（６２，６２）の各先端に第２枢着部（６９ａ）により各基端が枢着された一対又は複数対の第３持上げアーム（６８，６８）と、
前記一対又は複数対の第２持上げアーム（６４，６４）の各先端に第３枢着部（７２ａ）により各基端が枢着された一対又は複数対の第４持上げアーム（７１，７１）と、
前記一対又は複数対の第３持上げアーム（６８，６８）の各先端と前記一対又は複数対の第４持上げアーム（７１，７１）の各先端とが枢着されケーブルドラム（７７）の中心孔に挿入可能なドラム支持軸（７８）を支承する一対の軸受部（７３，７３）と、
前記第２枢着部（６９ａ）と前記第３枢着部（７２ａ）とを互いに引寄せ又は遠ざけて前記一対の軸受部（７３，７３）を低位置から高位置まで又は高位置から低位置まで調整する調整手段と
を備えたケーブル繰出し用ドラム支持装置。
【請求項４】
一対の第１又は第２持上げアーム（１２，１２，１４，１４）に揺動可能に設けられた一対のレバー（３１，３１）と、
前記一対のレバー（３１，３１）の各一端の間に回転可能に設けられドラム支持軸（１８）により支持されたケーブルドラム（１７）から繰出されたケーブル（３３）を案内するガイドローラ（３２）と、
前記ケーブルドラム（１７）の周縁に臨むように前記一対のレバー（３１，３１）の各他端に配設された一対のブレーキシュー（３４，３４）と
を備え
前記一対のレバー（３１，３１）は前記繰出されたケーブル（３３）が前記ガイドローラ（３２）を回転させるとき前記ブレーキシュー（３４，３４）を前記ケーブルドラム（１７）の周縁から離し前記繰出されたケーブル（３３）が前記ガイドローラ（３２）を回転させないとき前記ブレーキシュー（３４，３４）を前記ケーブルドラム（１７）の周縁に当接させるように構成された請求項１乃至３のいずれか１に記載のケーブル繰出し用ドラム支持装置。
【請求項５】
一対の第１又は第２持上げアーム（６２，６２，６４，６４）にそれぞれの基端が枢着された一対のブレーキシャフト（８１，８１）と、
前記一対ブレーキシャフト（８１，８１）の各先端の間に設けられドラム支持軸（７８）により支持されたケーブルドラム（７７）から繰出されたケーブル（８２）を案内するガイド体（８４）と、
一対の第２又は第１持上げアーム（６２，６２，６４，６４）にそれぞれの基端が接続され前記ケーブルドラム（７７）のフランジ（７７ｂ）に巡らして前記一対のブレーキシャフト（８１，８１）の中間部にそれぞれの他端が接続された一対のブレーキバンド（８６，８６）と
を備え
前記一対のブレーキシャフト（８１，８１）は前記繰出されたケーブル（８２）が前記ガイド体（８４）を通過するとき前記ブレーキバンド（８６，８６）を前記フランジ（７７ｂ）に対して緩め前記繰出されたケーブル（８２）が前記ガイド体（８４）を通過しないとき前記ブレーキバンド（８６，８６）を前記フランジ（７７ｂ）に当接させるように構成された請求項１乃至４のいずれか１に記載のケーブル繰出し用ドラム支持装置。
【請求項６】
ガイド体（８４）は複数のローラ（８４ａ，８４ａ）がケーブル（８２）の繰出し方向に直交して互いに平行に配置され、繰出されたケーブル（８２）が前記複数のローラ（８４ａ，８４ａ）の間を通過するように構成された請求項５に記載のケーブル繰出し用ドラム支持装置。
【請求項７】
請求項１又は２に記載のケーブル繰出し用ドラム支持装置（１１）がケーブル繰出し方向に複数配列して固定され、
先頭の前記支持装置（１１）の一対の第１又は第２持上げアーム（１２，１２，１４，１４）に一対のレバー（１０３，１０３）が揺動可能に設けられ、
前記一対のレバー（１０３，１０３）の各一端の間に複数のケーブルドラム（１７）から繰出されたケーブル（３３）を案内するガイドローラ（３２）が回転可能に設けられ、
前記一対のレバー（１０３，１０３）の各他端に複数の前記支持装置（１１）に延びる長さを有する一対の連結バー（１０４）が回転可能に設けられ、
複数の前記支持装置（１１）の一対の第１又は第２持上げアーム（１２，１２，１４，１４）のいずれか又は双方に前記連結バー（１０４）を摺動可能に支持するバー受具（１０６）が配設され、
前記連結バー（１０４）にバー長手方向に取付位置を調整可能にかつ複数の前記ケーブルドラム（１７）毎にドラム周縁に臨むように複数対のブレーキシュー（１０７）が配設され、
前記一対のレバー（１０３，１０３）は前記繰出されたケーブル（３３）が前記ガイドローラ（３２）を回転させるとき前記連結バー（１０４）を介して前記ブレーキシュー（１０７）を前記ケーブルドラム（１７）の周縁から離し前記繰出されたケーブル（３３）が前記ガイドローラ（３２）を回転させないとき前記ブレーキシュー（１０７）を前記ケーブルドラム（１７）の周縁に当接させるように構成された複合式ケーブル繰出し用ドラム支持装置。
【請求項８】
外径がケーブルドラム（１７，７７）の中心孔（１７ａ，７７ａ）の孔径に相応し内径がドラム支持軸（１８，７８）の軸径に相応するドラム受け具（１２１）が前記ケーブルドラム（１７，７７）の中心孔（１７ａ，７７ａ）と前記ドラム支持軸（１８，７８）の間に設けられた請求項１乃至７のいずれか１に記載のケーブル繰出し用ドラム支持装置。
【請求項９】
前記ドラム受け具（１２１）が複数種類のケーブルドラム（１７，７７）の中心孔（１７ａ，７７ａ）の孔径に相応した複数の外径を有する段付き管状体である請求項８に記載のケーブル繰出し用ドラム支持装置。
【請求項１０】
前記ドラム受け具（１２１）がドラム支持軸（１８，７８）回転用のベアリング（１２２）を内蔵し、かつ前記ドラム支持軸（１８，７８）に前記ドラム受け具（１２１）の前記ドラム支持軸（１８，７８）方向の移動を阻止するストッパ（１２３）が設けられた請求項８又は９に記載のケーブル繰出し用ドラム支持装置。
【発明の詳細な説明】
【０００１】
【産業上の利用分野】
本発明はケーブルドラムからケーブルを繰出して敷設するときにこのケーブルドラムを支持するケーブル繰出し用ドラム支持装置に関する。更に詳しくはケーブルドラムを持ち上げる機構又はその回転力を制御するブレーキ機構を有するケーブル繰出し用ドラム支持装置に関するものである。
【０００２】
【従来の技術】
ケーブルを敷設するには、先ず敷設する箇所に所定の間隔を置いて複数のガイドローラを配設した後、敷設箇所の始点にケーブルが巻かれたケーブルドラムを配置する。この状態でケーブルドラムに巻かれているケーブルのケーブルヘッドを作業者が手に持ってケーブルを牽引し、ガイドローラ上にケーブルを延長することで敷設している。ケーブルを牽引することによりケーブルドラムは回転してケーブルを繰出し、繰出されたケーブルはガイドローラ上に案内されて配設される。
ここでケーブルドラムはその回転を容易にするためケーブルドラムの敷設用ローラ台に配置される、このローラ台では回転可能なローラの上にケーブルドラムが置かれるため、ケーブルドラムに巻かれているケーブルを作業者が牽引することによりケーブルドラム自体が回転し、ケーブルの繰出しが容易になる。
【０００３】
しかしローラ台ではケーブルドラムの慣性力によりケーブルの繰出しを作業者が停止した後でもケーブルドラムの回転は停止せずにケーブルが過度に繰出されるため、作業者をローラ台の近傍に配置し、作業者がケーブルの敷設状況を目視により確認しながら必要に応じてケーブルドラムを手で押さえることによりケーブルドラムの回転を停止制御する必要があった。この作業者の配置はケーブルの敷設コストを増大し、しかも単純作業の慣れから操作ミスが生じ、ケーブルが過度に繰出されることもあった。
【０００４】
この点を解消するために従来ケーブルの自重を利用してローラの回転を停止させるブレーキ機構を設けたローラ台が提案されている（実開昭６３−１８７５１９）。このローラ台では一対のローラの上にケーブルドラムを載せている。このローラ台によれば繰出されたケーブルが弛むとその自重によりブレーキレバーが押され、ブレーキシューがローラに当接して、ローラの回転を停止させるようになっている。これによりケーブルの繰出し作業の停止によりケーブルドラムの回転も停止するのでケーブルを過度に繰出されることを防止することができ、かつ作業者配置の無駄を省くことができる。
【０００５】
【発明が解決しようとする課題】
しかし、ケーブルが巻かれるケーブルドラムは通常のサイズのケーブルが巻かれたものであれば軽いものでも３００ｋｇ、また重いものでは５００ｋｇにもなり、更に極太のサイズのケーブルが巻かれたものであれば５０００ｋｇにも達する。このため、従来のローラ台ではそのローラ台にケーブルドラムを載せる作業だけでも多大な労力を要していた。またケーブルの自重によるブレーキではケーブルドラムの重量が大きくなるとその自重によるブレーキだけではケーブルドラムの慣性力を完全に制御することが困難な場合もあった。
またケーブルドラムを一対のローラ間に載せた場合、その回転には労力を要し、このローラを電動ローラとするとケーブルドラムの繰出し性が劣り、改善が望まれていた。
【０００６】
本発明の目的は、比較的大型のケーブルドラムであっても容易にケーブルドラムを回転できる状態に支持することが可能なケーブル繰出し用ドラム支持装置を提供することにある。
本発明の別の目的は比較的大型のケーブルドラムであっても繰出し作業の停止時に容易にその回転を停止することができるケーブル繰出し用ドラム支持装置を提供することにある。
【０００７】
【課題を解決するための手段】
上記目的を達成するための本発明の構成を、実施例に対応する図１、図７、図８、図１０、図１２及び図１６を用いて説明する。
請求項１に係る発明は、図１に示すように、各基端に第１キャスタ１３，１３が設けられた一対の第１持上げアーム１２，１２と、各基端に第２キャスタ１６，１６が設けられた一対の第２持上げアーム１４，１４と、一対の第１持上げアーム１２，１２の先端と一対の第２持上げアーム１４，１４の先端とをそれぞれ重ねることにより形成された一対のアーム枢着部１９，１９と、ケーブルドラム１７の幅より広い長さを有し一対の第１持上げアーム１２，１２同士又は一対の第２持上げアーム１４，１４同士のいずれか一方又は双方を連結する連結軸２１，２２と、第１持上げアーム１２，１２及び第２持上げアーム１４，１４を互いに引寄せ又は遠ざけて一対のアーム枢着部１９，１９を低位置から高位置まで又は高位置から低位置まで調整する調整手段と、一対のアーム枢着部１９，１９又は枢着部１９，１９の近傍の一対の第１持上げアーム１２，１２又は一対の第２持上げアーム１４，１４に設けられケーブルドラム１７の中心孔１７ａに挿入可能なドラム支持軸１８を支承する一対の軸受部１９，１９とを備え、さらに、前記調整手段がつぎのような特定のものであることに特徴がある。
【０００８】
すなわち、連結軸２１，２２は一対の第１持上げアーム１２，１２のそれぞれの基端又は基端近傍を連結する第１連結軸２１と、第１連結軸２１と同等の長さを有し中間部に雌ねじ部２２ａが設けられ一対の第２持上げアーム１４，１４のそれぞれの基端又は基端近傍を連結する第２連結軸２２とを備え、調整手段は雌ねじ部２２ａに螺合するねじ部２３ａが形成されねじ部２３ａが雌ねじ部２２ａに螺合した状態で一端が第１連結軸２１に枢着された駆動軸２３と、駆動軸２３の他端に取付けられ回動することにより第１連結軸２１と第２連結軸２２の間隔を広く又は狭くする回転用ハンドル２４とを備えたものである。
【０００９】
請求項２に係る発明は、図７に示すように、ケーブルドラム１７の幅より広い長さを有し両端にそれぞれ第１キャスタ１３，１３が設けられた第１連結軸２１と、第１連結軸２１と同等の長さを有し両端にそれぞれ第２キャスタ１６，１６が設けられかつ中間部に雌ねじ部２２ａが設けられた第２連結軸２２と、各基端が第１連結軸２１両端の第１キャスタ１３，１３近傍に枢支された一対の第１持上げアーム１２，１２と、各基端が第２連結軸２２両端の第２キャスタ１６，１６近傍に枢支された一対の第２持上げアーム１４，１４と、一対の第１持上げアーム１２，１２の先端と一対の第２持上げアーム１４，１４の先端とをそれぞれ重ねることにより形成された一対のアーム枢着部１９と、第１持上げアーム１２，１２及び第２持上げアーム１４，１４を互いに引寄せ又は遠ざけて一対のアーム枢着部１９，１９を低位置から高位置まで又は高位置から低位置まで調整する調整手段と、一対のアーム枢着部１９，１９又は枢着部１９，１９の近傍の一対の第１持上げアーム１２，１２又は一対の第２持上げアーム１４，１４に設けられケーブルドラム１７の中心孔１７ａに挿入可能なドラム支持軸（１８）を支承する一対の軸受部１９，１９とを備え、かつ、前記調整手段がつぎのような特定のものであることに特徴がある。
【００１０】
すなわち、第２連結軸２２の中間部に雌ねじ部２２ａが設けられ、調整手段は雌ねじ部２２ａに螺合するねじ部２３ａが形成されねじ部２３ａが雌ねじ部２２ａに螺合した状態で一端が第１連結軸２１に枢着された駆動軸２３と、駆動軸２３の他端に取付けられ回動することにより第１連結軸２１と第２連結軸２２の間隔を広く又は狭くする回転用ハンドル２４とを備えたものである。
【００１１】
請求項３に係る発明は、図８に示すように、各基端に第１キャスタ６３，６３が設けられた一対又は複数対の第１持上げアーム６２，６２と、各基端に第２キャスタ６６，６６が設けられた一対又は複数対の第２持上げアーム６４，６４と、第１及び第２持上げアーム６２，６２，６４，６４のそれぞれの中間部で両アームを互いに枢着する一対又は複数対の第１枢着部６７ａと、一対又は複数対の第１持上げアーム６２，６２の各先端に第２枢着部６９ａにより各基端が枢着された一対又は複数対の第３持上げアーム６８，６８と、一対又は複数対の第２持上げアーム６４，６４の各先端に第３枢着部７２ａにより各基端が枢着された一対又は複数対の第４持上げアーム７１，７１と、一対又は複数対の第３持上げアーム６８，６８の各先端と一対又は複数対の第４持上げアーム７１，７１の各先端とが枢着されケーブルドラム７７の中心孔に挿入可能なドラム支持軸７８を支承する一対の軸受部７３，７３と、第２枢着部６９ａと第３枢着部７２ａとを互いに引寄せ又は遠ざけて一対の軸受部７３，７３を低位置から高位置まで又は高位置から低位置まで調整する調整手段とを備えたものである。
【００１２】
請求項４に係る発明は、図１及び図７に示すように、請求項１乃至３に係る発明に、更に一対の第１又は第２持上げアーム１２，１２，１４，１４に揺動可能に設けられた一対のレバー３１，３１と、一対レバー３１，３１の各一端の間に回転可能に設けられドラム支持軸１８により支持されたケーブルドラム１７から繰出されたケーブル３３を案内するガイドローラ３２と、ケーブルドラム１７の周縁に臨むように一対のレバー３１，３１の各他端に配設された一対のブレーキシュー３４，３４とを備えたものである。
【００１３】
請求項５に係る発明は、図１０に示すように、請求項１乃至４に係る発明に、更に一対の第１又は第２持上げアーム６２，６２，６４，６４にそれぞれの基端が枢着された一対のブレーキシャフト８１，８１と、一対ブレーキシャフト８１，８１の各先端の間に設けられドラム支持軸７８により支持されたケーブルドラム７７から繰出されたケーブル８２を案内するガイド体８４と、一対の第２又は第１持上げアーム６２，６２，６４，６４にそれぞれの基端が接続されケーブルドラム７７のフランジ７７ｂに巡らして一対のブレーキシャフト８１，８１の中間部にそれぞれの他端が接続された一対のブレーキバンド８６，８６とを備えたものである。
ガイド体８４は複数のローラ８４ａ，８４ａがケーブル８２の繰出し方向に直交して互いに平行に配置され、繰出されたケーブル８２が複数のローラ８４ａ，８４ａの間を通過するように構成されること（請求項６記載の要件）が好ましい。
【００１４】
請求項７に係る発明は、図１２に示すように、請求項１又は請求項２に係る発明のケーブル繰出し用ドラム支持装置１１がケーブル繰出し方向に複数配列して固定され、先頭の支持装置１１の一対の第１又は第２持上げアーム１２，１２，１４，１４に一対のレバー１０３，１０３が揺動可能に設けられ、一対のレバー１０３，１０３の各一端の間に複数のケーブルドラム１７から繰出されたケーブル３３を案内するガイドローラ３２が回転可能に設けられ、一対のレバー１０３，１０３の各他端に複数の支持装置１１に延びる長さを有する一対の連結バー１０４が回転可能に設けられ、複数の支持装置１１の一対の第１又は第２持上げアーム１２，１２，１４，１４のいずれか又は双方に連結バー１０４を摺動可能に支持するバー受具１０６が配設され、連結バー１０４にバー長手方向に取付位置を調整可能にかつ複数のケーブルドラム１７毎にドラム周縁に臨むように複数対のブレーキシュー１０７が配設され、一対のレバー１０３，１０３は繰出されたケーブル３３がガイドローラ３２を回転させるとき連結バー１０４を介してブレーキシュー１０７をケーブルドラム１７の周縁から離し繰出されたケーブル３３がガイドローラ３２を回転させないときブレーキシュー１０７をケーブルドラム１７の周縁に当接させるように構成されたものである。
【００１５】
請求項８に係る発明は、図１６に示すように、外径がケーブルドラム１７，７７の中心孔１７ａ，７７ａの孔径に相応し内径がドラム支持軸１８，７８の軸径に相応するドラム受け具１２１がケーブルドラム１７，７７の中心孔１７ａ，７７ａとドラム支持軸１８，７８の間に設けられたものである。
ドラム受け具１２１が複数種類のケーブルドラム１７，７７の中心孔１７ａ，７７ａの孔径に相応した複数の外径を有する段付き管状体であることが好ましい。また、ドラム受け具１２１がドラム支持軸１８，７８回転用のベアリング１２２を内蔵し、かつドラム支持軸１８，７８にドラム受け具１２１のドラム支持軸１８，７８方向の移動を阻止するストッパ１２３が設けられることが更に好ましい。
【００１６】
【作用】
請求項１又は請求項２に係る発明では、一対の軸受部１９，１９はドラム支持軸１８を介してケーブルドラム１７を支持する。調整手段により一対のアーム枢着部１９，１９を低位置から高位置まで又は高位置から低位置まで調整することによりケーブルドラム１７の支持位置を調整する。駆動軸２３の調整手段は、駆動軸２３を回転することによりねじ部２３ａを介して第２連結軸２２の雌ねじ部２２ａを移動させ、第１連結軸２１と第２連結軸２２の間隔を狭くする。第１連結軸２１と第２連結軸２２の間隔を狭くすると第１持上げアーム１２及び第２持上げアーム１４の軸受部１９を中心とした角度は小さくなり、第１連結軸２１と第２連結軸２２の間に配置されたケーブルドラム１７の中心孔１７ａに対して軸受部１９は低位置から高位置まで変位する。駆動軸２３を逆転すると、反対に軸受部１９は高位置から低位置まで変位する。
請求項３に係る発明では、一対の軸受部７３，７３はドラム支持軸７８を介してケーブルドラム７７を支持する。調整手段により一対の軸受部７３，７３を低位置から高位置まで又は高位置から低位置まで調整することによりケーブルドラム７７の支持位置を調整する。
【００１７】
請求項４に係る発明では、一対のレバー３１，３１は繰出されたケーブル３３がガイドローラ３２を回転するときブレーキシュー３４，３４をケーブルドラム１７の周縁から離し、繰出されたケーブル３３がガイドローラ３２を回転しないときブレーキシュー３４，３４をケーブルドラム１７の周縁に当接させ、これによりケーブルドラム１７に制動がかかる。
請求項５に係る発明では、一対のブレーキシャフト８１，８１は繰出されたケーブル８２がガイド体８４を通過するときブレーキバンド８６，８６をフランジ７７ｂに対して緩め、繰出されたケーブル８２がガイド体８４を通過しないときブレーキバンド８６，８６をフランジ７７ｂに当接させ、これによりケーブルドラム７７に制動がかかる。
【００１８】
請求項７に係る発明では、一対のレバー１０３，１０３はそれぞれのケーブルドラム１７から繰出されたケーブル３３がガイドローラ３２を回転するときブレーキシュー１０７，１０７をケーブルドラム１７の周縁から離し、繰出されたケーブル３３がガイドローラ３２を回転しないときブレーキシュー１０７，１０７をケーブルドラム１７の周縁に当接させ、これによりそれぞれのケーブルドラム１７に制動がかかる。
請求項８に係る発明では、ドラム受け具１２１が複数の外径を有する段付き管状体であればケーブルドラム１７，７７の中心孔の孔径１７ａ，７７ａに相応して選択的に挿入する。また、ドラム支持軸１８，７８回転用のベアリング１２２を内蔵すればケーブルドラム１７，７７とドラム支持軸１８，７８の間に生じる回転抵抗を軽減する。
【００１９】
【実施例】
次に本発明の第１実施例を図面に基づいて詳しく説明する。
図１及び図２に示すように、ケーブル繰出し用ドラム支持装置１１は一対の第１持上げアーム１２，１２と一対の第２持上げアーム１４，１４とを有する。第１持上げアーム１２，１２の基端にはそれぞれ第１キャスタ１３，１３がそれぞれ設けられ、第２持上げアーム１４，１４の基端にはそれぞれ第２キャスタ１６，１６がそれぞれ設けられる。一対の第１持上げアーム１２，１２の先端と一対の第２持上げアーム１４，１４の先端とはそれぞれ重ねられ、アーム枢着部１９を構成するとともにケーブルドラム１７の中心孔１７ａに挿入可能なドラム支持軸１８を支承する軸受部１９を構成する。この軸受部１９により第１持上げアーム１２，１２及び第２持上げアーム１４，１４は互いに回転することができるように構成され、かつこの軸受部１９に設けられた孔を介して支持軸１８をケーブルドラム１７の中心孔１７ａに挿入することにより、ケーブルドラム１７は軸受部１９に支持されるようになっている。
【００２０】
一対の第１持上げアーム１２，１２のそれぞれの基端にはそれぞれを連結する第１連結軸２１が設けられ、一対の第２持上げアーム１４，１４のそれぞれの基端にはそれぞれを連結する第２連結軸２２が設けられる。第１連結軸２１及び第２連結軸２２はそれぞれ等しい長さを有し、かつそれぞれケーブルドラム１７の幅より広い長さに構成され、それぞれの第１持上げアーム１２，１２及び第２持上げアーム１４，１４の間に図１の二点鎖線で示すようにケーブルドラム１７が配置できるようになっている。第２連結軸２２にはその中間部に雌ねじ部２２ａが設けられ調整手段である駆動軸２３が螺合される。
【００２１】
駆動軸２３は第２連結軸２２の雌ねじ部２２ａに螺合するねじ部２３ａが形成され、ねじ部２３ａが第２連結軸２２の雌ねじ部２２ａに螺合した状態でその一端が第１連結軸２１に枢着される。駆動軸２３の他端には回転用ハンドル２４（図５）が着脱自在に取付けられる係止部２３ｂが形成される。本実施例における係止部２３ｂは一対の平行な係止板が軸方向に平行に設けられ、一方に丸孔、他方に長孔（図２に丸孔のみ示す）が設けられる。図示しないが、これらの孔にハンドル２４（図５）の先端に設けられた軸方向に直交する方向に対称に突設したピンをそれぞれ挿入することにより、図５の矢印で示すように、ハンドル２４の回転を駆動軸２３に伝達するようなっている。ハンドル２４の回転により係止部２３ｂを介して駆動軸２３が回動することにより、図１に示すように、ねじ部２３ａが回転し第２連結軸２２の雌ねじ部２２ａが駆動軸２３を移動することにより第１連結軸２１と第２連結軸２２の間隔を広く又は狭くすることができるようになっている。
【００２２】
一対の第２持上げアーム１４，１４には一対のレバー３１，３１が支軸３１ａに枢支されて揺動可能に設けられ、一対レバー３１，３１の各一端の間にはガイドローラ３２が回転可能に設けられる。ガイドローラ３２は円柱状の鋼材の両端に円盤状のフランジ３２ａ，３２ａがそれぞれ設けられ、中心軸にレバー３１，３１の各一端を介して支軸３２ｂが挿入されることによりレバー３１，３１の各一端に回転可能に架設される。ガイドローラ３２は図２に示すようにケーブルドラム１７から繰出されたケーブル３３をその下方から敷設方向に繰出すことによりケーブル３３を案内するようになっている。また、図１に示すように、一対のレバー３１，３１に各他端には一対のブレーキシュー３４が配設され、ブレーキシュー３４はドラム支持軸１８により支持されたケーブルドラム１７の周縁に臨むように構成される。ガイドローラ３２の重量はブレーキシュー３４の重量のほぼ６倍であって、また支軸３１ａからガイドローラ３２までの長さは支軸３１ａからブレーキシュー３４までの長さのほぼ２倍である。
【００２３】
このように構成されたケーブル繰出し用ドラム支持装置１１の使用方法について図１〜図６を用いて説明する。
先ずケーブルドラム１７を支持装置１１に枢支するためにハンドル２４を介して駆動軸２３を回転し、第１連結軸２１と第２連結軸２２の間隔を広くする。第１連結軸２１と第２連結軸２２の間隔を広くすると第１持上げアーム１２及び第２持上げアーム１４の軸受部１９を中心とした角度が広がり、図４に示すように、軸受部１９が低位置になる。この状態でケーブルドラム１７を第１持上げアーム１２側から矢印で示すように回転して移動し、図４の二点鎖線で示すようにその中心孔１７ａを軸受部１９近傍に位置させる。このケーブルドラム１７を移動する段階ではレバー３１はガイドローラ３２側を持ち上げてブレーキシュー３４を下げておき、ケーブルドラム１７が移動することの妨げにならないようにする。またケーブルドラム１７が第１連結軸２１を越えやすくするために断面が山形の案内具３６を第１連結軸２１にかぶせておく。案内具３６には緩やかな傾斜部３６ａが形成され、ケーブルドラム１７はその傾斜部３６ａを回転することにより第１連結軸２１を容易に越えることができるようになっている。
【００２４】
ケーブルドラム１７の中心孔１７ａが軸受部１９近傍に位置したときに、駆動軸２３を回転させて軸受部１９をケーブルドラム１７の中心孔１７ａに合致させ、図１に示すように、支持軸１８を軸受部１９を介してケーブルドラム１７の中心孔１７ａに挿入することによりケーブルドラム１７を軸受部１９に支持する。ケーブルドラム１７を軸受部１９に支持した後、再びハンドル２４を回転させ、第１連結軸２１及び第２連結軸２２の間隔を狭くして、図５の矢印で示すように第１持上げアーム１２及び第２持上げアーム１４の軸受部１９を中心とした角度を狭め軸受部１９を高位置にする。このようにしてケーブルドラム１７を支持した状態で浮き上がらせることによりケーブルドラム１７は回転可能になりケーブルドラム１７の回転によりケーブル３３を繰出せるようになる。
【００２５】
ケーブルドラム１７から繰出されるケーブル３３は図２に示すようにガイドローラ３２の下側から敷設方向に繰出す。図２の矢印で示すように作業者がケーブル３３をその手に持って牽引するとケーブル３３の張力によりガイドローラ３２は矢印で示すように上方に引上げられ、レバー３１が回転しブレーキシュー３４はケーブルドラム１７の周縁から離れる。作業者が途中で牽引する動作を停止しするとケーブル３３が弛み、前述したガイドローラ３２とブレーキシュー３４の重量差及び支軸３１ａからの長さの差によりてこの原理で、ガイドローラ３２は図３の矢印で示すように下方にその自重で下がり、レバー３１が回転しブレーキシュー３４はケーブルドラム１７の周縁に極めて強い力で当接する。これによりケーブルドラム１７に制動がかかりケーブルドラム１７の回転は停止する。この場合ガイドローラ３２は円柱状の鋼材により構成されているために、その自重はケーブル３３の自重より重くケーブルドラム１７を制動する力は実開昭６３−１８７５１号公報に示されるケーブルの自重による制動に比較して大きい。
【００２６】
作業者が再びケーブル３３を牽引するとケーブル３３の張力により図２に示すように再びガイドローラ３２は上方に引上げられ、ブレーキシュー３４はケーブルドラム１７の周縁から離れる。従って、ケーブルドラム１７はケーブル３３が牽引されるときのみその回転が許容され、牽引されないときはその回転が制限されることになる。
作業者による敷設作業が終了した場合にはハンドル２４を回転させ、駆動軸２３を介して第１連結軸２１と第２連結軸２２の間隔を広くし、軸受部１９を低位置にさせてケーブルドラム１７を地上に降ろす。地上に降ろされたケーブルドラム１７の中心孔１７ａから支持軸１８を抜取りケーブルドラム１７をドラム支持装置１１から外し作業を終了させる。
【００２７】
図７は本発明の第２実施例を示す。図７において図１と同一符号は同一部品を示す。
図７に示すように、この例では第１連結軸２１の両端にそれぞれ第１キャスタ１３，１３が設けられ、第２連結軸２２の両端にそれぞれ第２キャスタ１６，１６が設けられる。一対の第１持上げアーム１２，１２の各基端が第１連結軸２１の両端の第１キャスタ１３，１３近傍に枢支され、一対の第２持上げアーム１４，１４の各基端が第２連結軸２２の両端の第２キャスタ１６，１６近傍に枢支される。
このように構成されたケーブル繰出し用ドラム支持装置では、第１キャスタ１３，１３及び第２キャスタ１６，１６の取付け位置が異なることを除くその他の構成及び作用は第１実施例と同様であるので、繰返しの説明を省略する。
【００２８】
図８及び図９は本発明の第３実施例を示す。図８及び図９において図１及び図２と同一符号は同一部品を示す。
この例におけるケーブル繰出し用ドラム支持装置６１は図８に示す装置が図９に示すように左右一対設けられたものである。この装置６０は左右対称であるので、一方のみを説明し他方の説明を省略する。この装置６０は一対の第１持上げアーム６２，６２と一対の第２持上げアーム６４，６４とを有する。一対の第１持上げアーム６２，６２の基端には補助板６３ａを介してそれぞれ第１キャスタ６３，６３がそれぞれ設けられ、第２持上げアーム６４，６４の基端には補助板６６ａを介してそれぞれ第２キャスタ６６，６６がそれぞれ設けられる。
【００２９】
一対の第１持上げアーム６２，６２の中間部と一対の第２持上げアーム６４，６４の中間部とはそれぞれ重ねられ第１連結軸６７の両端にそれぞれ枢着され、第１枢着部６７ａを形成する。一対の第１持上げアーム６２，６２の各先端及び一対の第２持上げアーム６４，６４の各先端には一対の第３持上げアーム６８，６８及び一対の第４持上げアーム７１，７１がそれぞれ枢着される。一対の第１持上げアーム６２，６２の各先端と一対の第３持上げアーム６８，６８の各基端はそれぞれ重ねられ第１連結軸６７と同等の長さを有する第２連結軸６９の両端にそれぞれ枢着され、第２枢着部６９ａを形成する。一対の第２持上げアーム６４，６４の各先端と一対の第４持上げアーム７１，７１の各基端はそれぞれ重ねられ第１及び第２連結軸６７，６９と同等の長さを有する第３連結軸７２の両端にそれぞれ枢着され、第３枢着部７２ａを形成する。図８にそれぞれの枢着部の片側のみ示す。一対の第３持上げアーム６８，６８の先端と一対の第４持上げアーム７１，７１の先端とはそれぞれ軸受部７３に枢着される。
【００３０】
更に装置６０には調整手段が設けられる。調整手段は第３連結軸７２の中央部に設けられた図示しない雌ねじ部と駆動軸７４とを有し、第２枢着部６９ａと第３枢着部７２ａとを互いに引寄せ又は遠ざけることにより軸受部７３を低位置から高位置まで又は高位置から低位置まで調整する。駆動軸７４は第３連結軸７２に設けられた雌ねじ部に螺合するねじ部７４ａが形成され、ねじ部７４ａが第３連結軸７２の雌ねじ部に螺合した状態でその一端が第２連結軸６９に枢着される。駆動軸７４の他端には回転用ハンドル７４ｂが取付けられ、ハンドル７４ｂを回転することにより駆動軸７４が回転し、ねじ部７４ａが回転し第３連結軸７２の雌ねじ部７２ｂが駆動軸７４を移動することにより第２枢着部６９ａと第３枢着部７２ａとを互いに引寄せ又は遠ざけることができるように構成される。
【００３１】
図９に示すように、ケーブルドラム７７は装置６０，６０の各軸受部７３，７３に支持軸７８を介して支持される。即ち、軸受部７３はケーブルドラム７７の中心孔に挿入可能なドラム支持軸７８を支承する。図８に示したこの軸受部７３に設けられた孔７３ａを介して支持軸７８をケーブルドラム７７の中心孔７７ａに挿入することにより、ケーブルドラム７７はそれぞれの軸受部７３，７３に支持されるようになっている。一対の装置６０，６０のケーブルドラム７７に臨むそれぞれの第２持上げアーム６４，６４に一対のブレーキシャフト８１，８１のそれぞれの基端が枢着される。ブレーキシャフト８１，８１はケーブルドラム７７から繰出されるケーブル８２の進行方向に互いに平行な基端からほぼ中央までの平行部８１ａ，８１ａと、その平行部から先端に向って互いに近づく傾斜部８１ｂ，８１ｂと、ガイド体８４を支持する先端部８１ｃ，８１ｃとにより構成される。ガイド体８４はこの例では両端にフランジを有する２本のローラ８４ａ，８４ａがケーブル８２の繰出し方向に直交して互いに平行に一対の支持板８４ｂ，８４ｂの間に配置され、繰出されたケーブル８２がこのローラ８４ａ，８４ａの間を通過することによりケーブル８２を案内するように構成される。ガイド体８４はそれぞれの支持板８４ｂ，８４ｂがブレーキシャフト８４，８４のそれぞれの先端部８４ｃ，８４ｃの間に回転可能に支持される。
【００３２】
図１０及び図１１に示すように、ケーブルドラム７７に臨む第１持上げアーム６２にはブレーキバンド８６の基端がそれぞれ接続される。ブレーキバンド８６の他端はケーブルドラム７７のそれぞれのフランジ７７ｂに巡らしてそれぞのブレーキシャフト８１の中間部に設けられた係止部８１ｄにそれぞれの他端に設けられたフック８６ａを介して接続される。ブレーキバンド８６のフランジ７７ｂに当接する面は、図示しないが、摩擦係数が大きくなるように粗面化処理が施されている。
【００３３】
このように構成されたケーブル繰出し用ドラム支持装置では、ケーブルドラム７７を支持装置６１に支持するために左右のハンドル７４ｂ，７４ｂを介して左右の駆動軸７４，７４を同時に回転し、左右の第２枢着部６９ａ，６９ａと第３枢着部７２ａ，７２ａの間隔を広くする。第２枢着部６９ａと第３枢着部７２ａの間隔を広くすると、それぞれ左右の第３持上げアーム６８，６８と第４持上げアーム７１，７１のそれぞれの軸受部７３，７３を中心とした角度、及びそれぞれ左右の第１持上げアーム６２と第２持上げアーム６４の角度が広がり、それぞれの軸受部７３，７３を低位置にする。即ち、駆動軸７４，７４を回転させてそれぞれの軸受部７３，７３をケーブルドラム７７の中心孔７７ａに合致させ、支持軸７８を左右の軸受部７３，７３を介してケーブルドラム７７の中心孔に挿入することによりケーブルドラム７７をそれぞれの軸受部７３，７３に支持する。
【００３４】
ケーブルドラム７７を左右の軸受部７３，７３に支持したときに、再びそれぞれのハンドル７４ｂ，７４ｂを回転させ、それぞれ左右の第２枢着部６９ａ，６９ａ及び第３枢着部７２ａ，７２ａの間隔を狭くして、それぞれ左右の第３持上げアーム６８，６８と第４持上げアーム７１，７１のそれぞれの軸受部７３を中心とした角度、及び左右の第１持上げアーム６２，６２と第２持上げアーム６４，６４の角度を狭め左右の軸受部７３，７３を高位置にする。このようにしてケーブルドラム７７を支持した状態で、図９に示すように浮き上がらせることによりケーブルドラム７７は回転可能になりケーブルドラム７７の回転によりケーブル８２を繰出せるようになる。このケーブルドラム７７を支持する段階ではそれぞれのブレーキバンド８６，８６は取外しておき、ケーブルドラム７７を支持することの妨げにならないようにする。
【００３５】
図１０及び図１１に示すように、ケーブルドラム７７が支持された後は左右のブレーキバンド８６の基端をそれぞれの第１持上げアーム６２に接続し、その先端をブレーキシャフト８１のそれぞれの係止部８１ｄに接続する。図では片側のブレーキバンド８６及びブレーキシャフト８１のみ示す。ケーブルドラム７７からはその上方からケーブル８２が繰出され、そのケーブル８２はガイド体８４である一対のローラ８４ａ，８４ａの間から敷設方向に繰出す。作業者がケーブル８２をその手に持って図１０の実線矢印で示す方向に牽引すると、ケーブル８２の張力によりローラ８４ａ，８４ａは矢印で示すように回転してケーブル８２を案内するとともに、ブレーキシャフト８１は破線矢印で示すように上方に回転する。ブレーキシャフト８１の回転は左右のブレーキバンド８６をそれぞれのフランジ７７ｂから緩め、それぞれのブレーキバンド８６がケーブルドラム７７の左右のフランジ７７ｂの周縁から離れる。作業者が途中で牽引する動作を停止したときにはケーブル８２が弛み、ブレーキシャフト８１は図１１の破線矢印で示すように下方にその自重で回転する。ブレーキシャフト８１の回転により左右のブレーキバンド８６の他端が引張られ、それぞれのブレーキバンド８６は左右のフランジ７７ｂの周縁に極めて強い力で当接する。これによりケーブルドラム７７に制動がかかりケーブルドラム７７の回転は停止する。
【００３６】
作業者が再びケーブル８２を牽引するとケーブル８２の張力により図１０に示すように再びブレーキシャフト８１は上方に回転し、左右のブレーキバンド８６は左右のフランジ７７ｂの周縁から離れる。従って、ケーブルドラム７７はケーブル８２が牽引されるときのみその回転が許容され、牽引されないときはその回転が制限されることになる。
作業者による敷設作業が終了した場合にはハンドル７４ｂを回転させ、駆動軸７４を介して第２枢着部６９ａと第３枢着部７２ａの間隔を広くし、軸受部７３を低位置にさせてケーブルドラム７７を地上に降ろす。地上に降ろされたケーブルドラム７７の中心孔から支持軸７８を抜取りケーブルドラム７７をドラム支持装置６１から外し作業を終了させる。
【００３７】
図１２及び図１３は本発明の第４実施例を示す。図１２及び図１３において図１と同一符号は同一部品を示す。
図１２及び図１３に示すように、本実施例は実施例１で説明したケーブル繰出し用ドラム支持装置１１がケーブル繰出し方向に３台配列して固定され、３本のケーブルを同時に繰出すことのできる複合式ケーブル繰出し用ドラム支持装置である。それぞれの支持装置１１の固定は第１及び第２キャスタ１３，１６に設けられた図示しない固定装置によりそれぞれのキャスタ１３，１６の回転を防止することにより行う。更にそれぞれの支持装置１１の第１及び第２持上げアーム１２，１４に固定棒１０１が取付けられ、それぞれの支持装置１１の固定を確実なものとしている。この例における固定棒１０１は両端に設けられた孔にぼると１０２がそれぞれ挿入され、そのボルト１０２を第１又は第２持上げアーム１２，１４に設けられたねじ孔に螺合することにより固定される。
【００３８】
先頭の支持装置１１の一対の第２持上げアーム１４にはそれぞれＶ字状に加工されたレバー１０３がその中央部を支軸１０３ａにより枢支することにより揺動可能に設けられる。このレバー１０３のそれぞれの一端の間にガイドローラ３２が設けられ、３台のケーブルドラム１７から繰出されたそれぞれのケーブル３３を案内する。ガイドローラ３２は実施例１で説明したものと同様であり、繰返しての説明を省略する。一対のレバー１０３の各他端には一対の連結バー１０４の一端が回転可能に設けられ、従属する支持装置１１に向って延び、その形状は最後尾の支持装置１１より突出する長さを有する角棒である。それぞれの支持装置１１の第１及び第２持上げアーム１２，１４にはバー受具１０６が設けられ、連結バー１０４を摺動可能に支持する。バー受具１０６は図１４に示すように断面Ｌ型に形成された鋼板を第１及び第２持上げアーム１２，１４に溶接手段により取付けられ、連結バー１０４はバー受具１０６と第１及び第２持上げアーム１２，１４の間に挿入されることにより摺動可能に支持される。
【００３９】
連結バー１０４にはバー１０４の長手方向に取付位置を調整可能な３個のブレーキシュー１０７が設けられる。ブレーキシュー１０７は、図１５に示すように、ケーブルドラム１７のフランジに相応するように湾曲して設けられ、連結バー１０４に嵌入する角筒体１０７ａに溶接手段により取付けられる。ブレーキシュー１０７が取付けられる対面の角筒体１０７ａには一対の雌ねじ部が形成され、その雌ねじ部にぼると１０７ｂが螺合される。角筒体１０７ａは連結バー１０４に嵌入された状態で移動可能な大きさを有し、連結バー１０４に嵌入された状態でボルト１０７ｂを締め付けることによりブレーキシュー１０７の取付け位置を調節することができるようになっている。角筒体１０７ａを連結バー１０４に取付けた状態ではブレーキシュー１０７が複数のケーブルドラム１７毎にドラム周縁に臨むように配設される。
【００４０】
このように構成された複合式ケーブル繰出し用ドラム支持装置では、それぞれのケーブルドラム１７から繰出されるケーブル３３を図１２に示すようにガイドローラ３２の下側から敷設方向に繰出す。この時２番及び３番目のケーブルドラム１７からのケーブル３３はその前のケーブルドラム１７の上をはわして先頭の支持装置１１のガイドローラ３２の下方を通すようにする。作業者が３本のケーブル３３をその手に持って牽引するとケーブル３３の張力によりガイドローラ３２は矢印で示すように上方に引上げられ、レバー１０３他端に設けられた連結バー１０４は図１２の実線矢印で示すように移動してそれぞれのブレーキシュー１０７はケーブルドラム１７の周縁から離れる。作業者が途中で牽引する動作を停止してケーブル３３が弛むと、ガイドローラ３２の重みによりガイドローラ３２は図１３の実線矢印で示すように下方にその自重で下がり、レバー１０３が回転し連結バー１０４は図の破線矢印で示すように移動してそれぞれのブレーキシュー１０７はケーブルドラム１７の周縁に極めて強い力で当接する。これによりそれぞれのケーブルドラム１７に制動がかかりそれぞれのケーブルドラム１７の回転は停止する。
【００４１】
作業者が再びケーブル３３を牽引するとケーブル３３の張力により図１２に示すように再びガイドローラ３２は上方に引上げられ、ブレーキシュー１０７はケーブルドラム１７の周縁から離れる。従って、ケーブルドラム１７はケーブル３３が牽引されるときのみその回転が許容され、牽引されないときはその回転が制限されることになる。
【００４２】
図１６及び図１７は本発明の第５実施例を示す。図１６及び図１７において図１及び図９と同一符号は同一部品を示す。
図１６及び図１７に示すように、本実施例のケーブル繰出し用ドラム支持装置は、実施例１から実施例４で説明したケーブル繰出し用ドラム支持装置１１，６１にケーブルドラム１７，７７をドラム受け具１２１を介して支持するものである。ドラム受け具１２１は外径がケーブルドラム１７，７７の中心孔１７ａ，７７ａの孔径に相応し、内径がドラム支持軸１８，７８の軸径に相応する管状体である。ドラム受け具１２１は複数の外径を有するように鋼材を階段状に切削して加工された３段の段付き管状体であって、それぞれの段の外径は３種類のケーブルドラム１７，７７の中心孔１７ａ，７７ａの孔径に相応するように加工される。即ち本実施例における通常のケーブルドラム１７であれば図１７の一点鎖線で示すように比較的小径の段部がその中心孔１７ａに挿入し、極太のケーブル８２が巻かれた比較的大型のケーブルドラム７７では図の２点鎖線で示すように比較的大径の段部がその中心孔７７ａに挿入するように形成される。
【００４３】
ドラム受け具１２１の内径はドラム支持軸１８，７８が挿入される寸法を有し、挿入されたドラム支持軸１８，７８が抵抗なく回転できるように回転用のベアリング１２２が内蔵される。ドラム受け具１２１にドラム支持軸１８，７８が挿入された状態では、軸方向の移動を阻止するストッパ１２３がドラム支持軸１８，７８に設けられる。ストッパ１２３はドラム支持軸１８，７８を挿入可能な管状体で、その外側から中心に向って雌ねじ（図示せず）が設けられ、ボルト１２４を螺合することにより挿入されたドラム支持軸１８，７８にボルト１２４の先端が当接し、ドラム支持軸１８，７８の軸方向の移動を防止して、ドラム受け具１２１の移動が禁止される。
【００４４】
ドラム支持装置１１又は６１にケーブルドラム１７又は７７を装着するには、図１６に示すように、ドラム支持軸１７，７８をケーブルドラム１７又は７７の中心孔１７ａ又は７７ａに挿入する際に一対のドラム受け具１２１，１２１をとともに挿入し、それぞれのドラム受け具１２１，１２１を、図の実線矢印で示すように移動してその段部にケーブルドラム１７又は７７の中心孔１７ａ又は７７ａに挿入する。この状態でそれぞれのケーブルドラム支持装置１１，６１にケーブルドラム１７又は７７を支持する。支持装置１１，６１に支持した後はそれぞれのストッパ１２３，１２３のボルト１２４，１２４を螺合してドラム支持軸１８，７８に固定することにより、それぞれのドラム受け具１２１，１２１の移動を防止する。
【００４５】
このようにドラム受け具１２１，１２１を備えるケーブル繰出し用ドラム支持装置ではそれぞれのドラム受け具１２１，１２１に内蔵されたベアリング１２２，１２２によりケーブルドラム１７，７７の回転の際の回転抵抗が軽減され、またドラム支持軸１８，７８の径をケーブルドラム１７，７７の孔径１７ａ，７７ａに合わせて選択する必要もない。この結果、敷設作業の作業性の向上をはかることができる。
【００４６】
なお、上記第１、第２及び第４実施例では第２持上げアームに一対のレバーを設けたが、第１持上げアームに一対のレバーを設けてもよい。
また、上記実施段例では駆動軸をハンドルにより作業者が手動により回転させたが、駆動軸の先端にモータを設け電動により回転させてもよい。
また、上記第１、第２及び第４実施例ではガイドローラを円柱状の鋼材により構成したが、ケーブルドラムの回転を制御できる限り合成樹脂等でもよい。
また、上記第１及び第２実施例では一対のレバーはケーブルドラムを持上げるときに持上げアームに取付けていたが、ケーブルドラム持上げ時には取外しておき、ケーブルドラム持上げ後取付けるようにしてもよい。
また、上記第１及び第２実施例では一対の第１及び第２持上げアームのそれぞれの基端にそれぞれを連結する第１及び第２連結軸を設けたが、第１連結軸だけでもよく、又は第２連結軸だけでもよい。
【００４７】
また、上記第３実施例では、左右２対ずつ持上げアーム等を配設したが、一対ずつ又は３対以上複数対ずつ配設してもよい。
また、上記第３実施例では、ガイド体として２本のローラをケーブルの繰出し方向に直交して互いに平行に配置したが、３本、４本又は５本のローラをケーブルの繰出し方向に直交して互いに平行に配置してもよい。繰出されたケーブルがローラの間を通過する荷重はローラの数が多いほど１本のローラ受ける量が軽減され、作業者が滑らかにケーブルを繰出すことができる。
また、上記第４実施例ではバー受具を第１及び第２持上げアームの双方にに設けたが、第１持上げアームまたは第２持上げアームのいずれか一方だけに設けてもよい。
【００４８】
また、上記第１及び第２実施例では一対の第１持上げアームの先端と一対の第２持上げアームの先端とをそれぞれ重ねて枢着部を形成するとともに、ドラム支持軸を支承する軸受部を構成したが、図１８に示すように、支持軸を支承する軸受部１１１のみ別に一対の第１持上げアーム又は一対の第２持上げアームに設けてもよい。図における軸受部１１１はドラム支持軸１８が挿入される筒部１１１ａと固定部材１１１ｂとにより構成され、その固定部材１１１ｂを第２持上げアーム１４にボルト１１２により固定する。このように軸受部１１１を別に設けると支持軸１８を支承する箇所が複数になり、１台の支持装置でいろいろなケーブルドラム１７の大きさに対応することが可能になる。
更に、上記第５実施例では３段の段付き管状体のドラム受け具を例示したが、段数は３段に限らず、２段又は４段以上でもよい。
【００４９】
【発明の効果】
以上述べたように、本発明によれば、一対の第１持上げアームと、一対の第２持上げアームと、ケーブルドラムを支承する一対の軸受部と、調整手段を備え、その間に配置されたケーブルドラムを支持して軸受部が低位置から高位置まで又は高位置から低位置まで調整手段により変位するように構成したので、比較的大型のケーブルドラムであっても容易にケーブルドラムが回転できる状態にすることでできる。また、第３及び第４持上げアームを追加して設ければ極太のケーブルが巻かれた超大型のケーブルドラムでも容易に回転できる状態にすることでき、また、一対の第２持上げアームに揺動可能に一対のレバーを設け、そのレバーの各一端の間に繰出されたケーブルを案内するガイドローラを設け、そのレバーの各他端にケーブルドラム７７の周縁に臨む一対のブレーキシューを備え、ケーブルがガイドローラを回転するときブレーキシューはケーブルドラムの周縁から離れ、ケーブルがガイドローラを回転しないときブレーキシューをケーブルドラムの周縁に当接させるように構成すれば、比較的大型のケーブルドラムであっても繰出し作業の停止時に容易にその回転を停止することができ、また、ブレーキシャフトとブレーキバンドとガイド体とを設け繰出されたケーブルがガイド体を通過するときブレーキバンドをフランジから緩め、繰出されたケーブルがガイド体を通過しないときブレーキバンドをフランジに当接させるように構成すれば、極太のケーブルが巻かれた超大型のケーブルドラムであっても繰出し作業の停止時に容易にその回転を停止することができる。
【００５０】
また、一対の第１キャスタ及び一対の第２キャスタをそれぞれ第１持上げアーム及び第２持上げアームの各基端に設けたので、ケーブルドラムを支持する際に回転し、その作業を容易にする一方、ケーブルドラムを支持した状態で移動できる利点もある。このためこのケーブル繰出し用ドラム支持装置をケーブル繰出し方向に複数配列して固定し、先頭の支持装置にガイドローラを有する一対のレバーを設け、一対の連結バーと複数対のブレーキシューを設ければ、一対のレバーは繰出されたケーブルがガイドローラを回転させるとき連結バーを介してブレーキシューをケーブルドラムの周縁から離し、繰出されたケーブルがガイドローラを回転させないときブレーキシューをケーブルドラムの周縁に当接させるので、複数のケーブルドラムを支持して複数のケーブルを同時に繰出しても繰出し作業の停止時には容易に複数のケーブルドラムの回転を停止することができ、複数のケーブルの敷設を同時に行うことができる。
更に、ケーブルドラムを支持装置に支持する際にドラム受け具を介して支持することにより、ケーブルドラムとドラム支持軸の間に生じる回転抵抗を軽減することができ、ドラム支持軸の径を考慮する必要もない。この結果、作業者がケーブルドラムの先端を牽引する作業性の向上させることができ、かつドラム支持軸の標準化を図ることができる。
【図面の簡単な説明】
【図１】本発明の第１実施例のドラム支持装置を上から見た図。
【図２】その装置によりケーブルドラムを支持し、ケーブルを繰出した状態を示す側面図。
【図３】その装置によりケーブルドラムを支持し、ケーブルの繰出しを停止した状態を示す側面図。
【図４】その装置にドラムを着脱する際の図２に対応する側面図。
【図５】その装置によりドラムを上下させる際の図２に対応する側面図。
【図６】その装置にドラムを装着した状態を前から見た図。
【図７】本発明の第２実施例を示す図１に対応する図。
【図８】本発明の第３実施例のドラム支持装置を構成する装置の斜視図。
【図９】その装置によりケーブルドラムを支持した状態を示す正面図。
【図１０】その装置によりケーブルドラムを支持し、ケーブルを繰出した状態を示す側面図。
【図１１】その装置によりケーブルドラムを支持し、ケーブルの繰出しを停止した状態を示す側面図。
【図１２】本発明の第４実施例の複合式ドラム支持装置によりケーブルドラムを支持し、ケーブルを繰出した状態を示す側面図。
【図１３】その装置によりケーブルドラムを支持し、ケーブルの繰出しを停止した状態を示す側面図。
【図１４】そのバー受具の斜視図。
【図１５】そのブレーキシューの斜視図。
【図１６】ドラム支持軸をケーブルドラムにドラム受け具を介してに挿入した正面図。
【図１７】ドラム受け具の断面図。
【図１８】本発明の別の軸受部を示す図２に対応する図。
【符号の説明】
１２，６２  第１持上げアーム
１３，６３  第１キャスタ
１４，６４  第２持上げアーム
１６，６６  第２キャスタ
１７，７７  ケーブルドラム
１７ａ，７７ａ  中心孔
１８，７８  ドラム支持軸
１９，７３，１１１  軸受部
２１  第１連結軸
２２  第２連結軸
２２ａ  雌ねじ部
２３  駆動軸
２３ａ  ねじ部
２４，７４ｂ  回転用ハンドル
３１，１０３  レバー
３２  ガイドローラ
３３，８２  ケーブル
３４，１０７  ブレーキシュー
６７ａ  第１枢着部
６８  第３持上げアーム
６９ａ  第２枢着部
７１  第４持上げアーム
７２ａ  第３枢着部
８１  ブレーキシャフト
８４  ガイド体
８４ａ  ローラ
８６  ブレーキバンド
１０４  連結バー
１０６  バー受具
１２１  ドラム受け具
１２２  ベアリング
１２３  ストッパ
【図１】
0003656767.tif 000002
【図２】
0003656767.tif 000003
【図３】
0003656767.tif 000004
【図４】
0003656767.tif 000005
【図５】
0003656767.tif 000006
【図６】
0003656767.tif 000007
【図７】
0003656767.tif 000008
【図８】
0003656767.tif 000009
【図９】
0003656767.tif 000010
【図１０】
0003656767.tif 000011
【図１１】
0003656767.tif 000012
【図１２】
0003656767.tif 000013
【図１３】
0003656767.tif 000014
【図１４】
0003656767.tif 000015
【図１５】
0003656767.tif 000016
【図１６】
0003656767.tif 000017
【図１７】
0003656767.tif 000018
【図１８】
0003656767.tif 000019